(57)【要約】【課題】特有のイルミネーション効果を得つつ、外装部品の内部に留まる光の成分の量を多くする。【解決手段】導光板（１１）の発光部埋込部（１ｂ）に凹部が形成されており、上記凹部の内部に、発光部（２）が配置されており、上記凹部の断面における光の入射点（Ａ）を通る法線と、発光部（２）の光の出射方向との為す角（θ）が９０°未満である。【選択図】図５
2018081283.tif 000002
【特許請求の範囲】
【請求項１】
電子機器の外装の一部品であり導光性を有する材料で構成された外装部品と、光を発する光源と、を備えたイルミネーション構造であって、
上記光源から上記外装部品の内部に入射した光により上記外装部品の少なくとも一部が発光するように構成されており、
上記外装部品に凹部が形成されており、
上記凹部の内部に、上記光源が配置されており、
上記凹部の断面における光の入射点を通る法線と、上記光源の光の出射方向との為す角が９０°未満であることを特徴とするイルミネーション構造。
【請求項２】
上記凹部が、上記外装部品の一方の端面に形成されていることを特徴とする請求項１に記載のイルミネーション構造。
【請求項３】
上記凹部が、上記外装部品の複数個所に形成されていることを特徴とする請求項１に記載のイルミネーション構造。
【請求項４】
上記凹部が、上記外装部品の最大面積を有する表面における、上記外装部品の端面から離れた位置に形成されていることを特徴とする請求項１に記載のイルミネーション構造。
【請求項５】
上記外装部品の表面の一部に遮光部または反射部が設けられていることを特徴とする請求項１から４までの何れか１項に記載のイルミネーション構造。
【請求項６】
上記外装部品の表面の一部が塗装または表面加工されていることを特徴とする請求項１から４までの何れか１項に記載のイルミネーション構造。
【請求項７】
請求項１から６までの何れか１項に記載のイルミネーション構造を有していることを特徴とする電子機器。
【発明の詳細な説明】
【技術分野】
【０００１】
本発明は、電子機器に設けられるイルミネーション構造および該イルミネーション構造を有する電子機器に関する。
【背景技術】
【０００２】
近年、電子機器における発光のイルミネーション効果を向上させることを目的とした様々なイルミネーション構造を有する電子機器が普及している。特許文献１には導光板の辺縁部に凹状の溝部を設けることで、発光ダイオードから照射された光が溝部の底面に入射すると共に、底面に入射しない光が溝部の側壁面から導光板に入射する構造のバックライト装置が開示されている。
【先行技術文献】
【特許文献】
【０００３】
【特許文献１】特開２０１４−１５３５８６号公報（２０１４年８月２５日公開）
【発明の概要】
【発明が解決しようとする課題】
【０００４】
しかしながら、上述のような従来のイルミネーション装置では、凹状の溝部から光を出射する際に、発光ダイオードの照射方向に出射した光はそのまま導光板の内部を進むが、上下の面方向に出射した光は導光板に入射後、導光板の外部へ出てしまう。このため、導光板の上下の面方向に出射した光の分だけ導光板の内部に留まる光の成分が少なくなってしまうという問題点がある。
【０００５】
本発明は、以上の問題点に鑑みて為されたものであり、その目的は、特有のイルミネーション効果を得つつ、外装部品の内部に留まる光の成分の量を多くすることができるイルミネーション構造などを実現することにある。
【課題を解決するための手段】
【０００６】
上記の課題を解決するために、本発明の一態様に係るイルミネーション構造は、電子機器の外装の一部品であり導光性を有する材料で構成された外装部品と、光を発する光源と、を備えたイルミネーション構造であって、上記光源から上記外装部品の内部に入射した光により上記外装部品の少なくとも一部が発光するように構成されており、上記外装部品の一部に凹部が形成されており、上記凹部の内部に、上記光源が配置されており、上記凹部の断面における光の入射点を通る法線と、上記光源の光の出射方向との為す角が９０°未満であることを特徴としている。
【発明の効果】
【０００７】
本発明の一態様に係るイルミネーション構造によれば、特有のイルミネーション効果を得つつ、外装部品の内部に留まる光の成分の量を多くすることができるという効果を奏する。
【図面の簡単な説明】
【０００８】
【図１】本発明の実施の一形態に係る電子機器の概要構成を示す概念図である。
【図２】上記電子機器の概要構成を示すブロック図である。
【図３】上記電子機器の基本動作を示すフローチャートである。
【図４】（ａ）は、本発明の実施の一形態に係る電子機器の表側の外観構成を示す図であり、（ｂ）は、上記電子機器の裏側の外観構成を示す図である。
【図５】は、本発明の実施形態１に係る外装部品の発光部埋込部の構造を示す断面図である。
【図６】（ａ）〜（ｄ）は、それぞれ本発明の実施形態１に係る外装部品の構造を示す図である。
【図７】（ａ）および（ｂ）は、それぞれ本発明の実施形態２に係る外装部品の構造を示す図である。
【図８】（ａ）〜（ｃ）は、それぞれ本発明の実施形態３に係る外装部品の構造を示す図である。
【図９】（ａ）および（ｂ）は、それぞれ本発明の実施形態４に係る外装部品の構造を示す図である。
【発明を実施するための形態】
【０００９】
本発明の実施の形態について図１〜図９に基づいて説明すれば、次の通りである。以下、説明の便宜上、特定の項目にて説明した構成と同一の機能を有する構成については、同一の符号を付記し、その説明を省略する場合がある。
【００１０】
〔実施形態１〕
図１は、本発明の一実施形態に係る電子機器１０の概要構成を示す概念図である。同図に示す電子機器１０は、発光制御部１２により発光部（光源）２をオン（点灯）またはオフ（非点灯）するように制御する。発光部２をオンとした場合、発光部２から出射した光は、表面パネル１の一方の端面１ａから入射し、表面パネル１の上記一方の端面１ａと対向する他方の端面１ａから出射する。
【００１１】
次に、図２は、電子機器１０の概要構成を示すブロック図である。同図に示すように、電子機器１０は、発光部２、発光制御部１２、システム処理部１３、および電源１４を備える。発光制御部１２は、発光部２の点灯制御を行うものである。システム処理部１３は、電子機器１０の各ブロックを統括的に制御するものである。発光制御部１２の動作は、システム処理部１３によって制御されている。電源１４は、電子機器１０の各ブロックに電力を供給するものである。
【００１２】
次に、図３は、電子機器１０の基本動作を示すフローチャートである。ステップＳ１０１（以下、ステップを省略する）ではシステム処理部１３が発光制御部１２に発光部２の点灯を制御させて、発光部２の点灯が開始され、Ｓ１０２に進む。Ｓ１０２では、発光制御部１２が、指定された発光シーケンスで発光部２を点灯制御して、Ｓ１０３に進む。Ｓ１０３では、発光制御部１２が、発光部２の点灯を終了させる（非点灯とする）制御を行って、点灯終了し、一連の処理が終了する。
【００１３】
図４の（ａ）は、電子機器１０の表側の外観構成を示す図である。同図に示すように、電子機器１０の表側の外観構成は、ディスプレイ４および表面パネル（外装部品）１で構成される。表面パネル１は、例えば、アクリルやガラス等で構成されている。表面パネル１は、発光部２の光軸を含むように配置されている。
【００１４】
次に、図４の（ｂ）は、電子機器１０の裏側の外観構成を示す図である。同図に示すように電子機器１０の裏側の外観構成は、背面パネル（外装部品）５および発光部２で構成される。背面パネル５は、略矩形形状を為しており、背面パネル５の最大面積を有する面以外の面は、背面パネル５の最大面積を有する面の周囲を囲む端面５ａを為している。
【００１５】
なお、背面パネル５の端面５ａは、何の加工も施してなくても出光部となり発光する。その他、背面パネル５の端面５ａは、粗面加工していても良いし、印刷塗装の表面加工を施しても良いし、蛍光体を塗布しても良い。これらの手法は、それぞれ光り方や加工方法が異なるため、用途に応じて選択すれば良い。
【００１６】
背面パネル５は、電子機器１０の外装の一部品であり導光性を有する材料で構成されている。発光部２は、光を発する光源であり、例えば、ＬＥＤ（Light Emitting Diode）で構成されている。背面パネル５は、発光部２の光軸を含むように配置されており、発光部２から背面パネル５の内部に入射した光により背面パネル５の端面５ａが発光するように構成されている。本実施形態では、電子機器１０の筐体の背面パネル５を導光板として用いている。電子機器１０では、背面パネル５の端面５ａのみが発光し、背面パネル５のパネル表面（最大面積を有する表面）では全反射するため発光しない。電子機器１０の背面パネル５および発光部２は、背面パネル５の端面５ａのみが発光するという特有のイルミネーション構造を為す。
【００１７】
図５は、上記表面パネル１または背面パネル５として用いられる導光板（外装部品）１１の発光部埋込部１ｂの拡大図を示す。導光板１１は屈折率ｎ１の媒質で満たされており、発光部埋込部１ｂには、断面が円弧形状の凹部が形成されている。この凹部の内部には、発光部２が配置されている。ここで、凹部の内部とは、図５に示す導光板１１の右側の端面と、断面が円弧形状の弧面とで囲まれる空間内のことである。
【００１８】
なお、本実施形態では、凹部の形状として、断面が円弧形状を描く弧面（その一部に平面が含まれていても構わない）形状を採用しているが、発光部埋込部１ｂの凹部の形状はこれに限定されない。例えば、発光部埋込部１ｂの凹部の形状として、凹部の側壁が球面の一部で構成される球面状の孔の形状、凹部の側壁が回転楕円面の一部で構成される楕円面状の孔の形状、などを含む任意の曲面で構成される凹形状を採用することができる。すなわち、発光部埋込部１ｂの凹部の形状は、凹部の側壁が、曲面、平面、または曲面と平面との組合せ、で構成される任意の凹形状を採用することができる。
【００１９】
導光板１１の屈折率ｎ１は、空気の屈折率をｎ０とすると、ｎ１＞ｎ０が成り立つように設定されている。導光板１１の屈折率を上記のように設定することで、発光部２から導光板１１に入射角αにて入射する光は入射面に対する法線（図５の斜線Ｃ）となす屈折角βがｎ＝ｓｉｎα／ｓｉｎβから一義的に決まる。屈折角βで導光板１１の界面で屈折した光は導光板１１の側壁１ｃに向かって進み、側壁１ｃに対する垂線（図５の斜線Ｄ‐Ｄ’）となす角度γの入射角で側壁１ｃに入射するが、上記のようにｎ１＞ｎ０で導光板１１の屈折率が設定されているため、上記γで入射した光は、γ＜ｎ０／ｎ１を満たし、空気中に屈折することなく、側壁１ｃで反射し、導光板１１の端面１ａに向かって進む。ここで導光板１１の臨界角はｎ０／ｎ１により一義的に決まる。
【００２０】
次に、導光板１１の発光部埋込部１ｂの凹部は断面が円弧形状の弧面（その一部に平面が含まれていても構わない）を描き凹部の内部に発光部２が配置されている。なお、発光部２の配置位置は凹部の内部のどこであっても良い。また、本実施形態では、単一の凹部の内部に単一の発光部２が配置された構成を採用しているが、単一の凹部の内部に複数の発光部を配置しても良い。また、波長の異なる光を発する複数の発光部を単一の凹部の内部に配置しても良い。なお、波長の異なる光を発する複数の発光部を単一の凹部に配置する場合、波長による屈折率の差を考慮してそれぞれの発光部の配置を行うことが好ましい。例えば、波長の短い光（＝屈折率の低い光）を発する発光部は、後述するθの値が小さくなる成分が多くなるよう弧面の中央付近に配置することが好ましい。
【００２１】
次に、発光部２の光の出射方向を中心線（光軸）とする。ここで、光の出射方向とは、発光部２の中心と、発光部２から出射される光の強度が最も高い点とを結ぶ方向のことである。発光部埋込部１ｂの弧面の中で、発光部２からの光が入光される一点を入射点Ａとする。入射点Ａにおける導光板１１と空気の境界面の法線と、上記中心線とが交わる起点Ｏでの角度をθとする。このとき、本実施形態の導光板１１では、θ＜９０°の条件で導光板１１と空気との境界面が構成されている。発光部２と入射点Ａを結ぶ線と、起点Ｏと入射点Ａとを結ぶ線とが為す角度をαとする。入射点Ａで導光板に入光した光は屈折する。屈折した光と入射点Ａの法線とが成す角度をβとする。
【００２２】
入射光は広がりを持って導光板１１に入射されるが、θ＜９０°の面への入射であれば、屈折条件によってα＞βが成り立つため、導光板１１に入射した際に光は出射方向に近づくように屈折する。α＞βとなる導光板１１（屈折率が１以上の材質）と空気との界面で有ればα＞βが成り立つ。光反射領域に入射された光は、ｓｉｎγ＞１／ｎ１の条件で全反射するため、屈折によりγを大きく取ることが出来れば、外部へ光漏れを防ぎ、全反射の効率を上げることができる。以上の構成によれば、特有のイルミネーション効果を得つつ、導光板１１の内部に留まる光の成分の量を多くすることができる。
【００２３】
図６の（ａ）は、本発明の実施形態１に係る導光板１１の断面図である。発光部２から導光板１１の右側の端面には、発光部２が埋め込まれた発光部埋め込み部１ｂが形成されており、発光部埋め込み部１ｂの凹部の形状は図５に示す凹部の形状と同一である。本実施形態のように、発光部埋め込み部１ｂの凹部が、導光板１１の一方の端面に形成されていても良い。これにより、凹部が形成された一方の端面に対向する端面（左側の端面）を発光させることができる。
【００２４】
図６の（ｂ）は、発光部埋め込み部１ｂに設置された発光部２から出射される光の状態を示す模式図である。発光部２から出射された光の内、上下の側壁１ｃに入射する光は、本実施形態では上下の側壁１ｃで全反射し、導光板１１内から外部に出射しない。従って、導光板１１に入射する光の漏れ量を低減することができる。但し、導光板１１の屈折率が空気の屈折率と比べて十分に大きくない場合は、発光部２から出射した光の内、導光板１１の上下の側壁１ｃに到達した光の入射角が、全反射の臨界角より小さければ全反射せず、屈折して外部へ出ていくこともありえる。そのため、導光板１１の外部への光漏れをより低減するために、導光板１１の屈折率は空気の屈折率と比べて十分に大きくなるように設計することが好ましい。
【００２５】
また、図６の（ａ）に示されるように、発光部埋め込み部１ｂに埋め込まれた発光部２から出射する光の内、導光板１１の上下の側壁１ｃへの入射角がｎ１／ｎ０より大きくなる光は、導光板１１の上下の側壁１ｃで全反射を繰り返し、導光板１１の出光部である端面１ａからの出光に寄与する。
【００２６】
図６の（ｃ）は、本実施形態に係る導光板１１を、図４の（ａ）に示す電子機器１０の表面パネル１として用いた場合における、電子機器１０ａの断面構造を示す。本実施形態の電子機器１０ａでは、導光板１１の端面１ａが発光し、導光板１１のパネル表面（最大面積を有する表面）では全反射するため発光しない。このため、電子機器１０ａの導光板１１および発光部２は、特有のイルミネーション構造を為す。
【００２７】
本実施形態の電子機器１０ａでは、導光板１１そのものを導光板とし、その周囲の端面１ａを光らせることで表示面の外周部が光るイルミネーション構造を実現できる。導光板１１は、ディスプレイ４の画面保護用の透明な外装であるか、または、タッチパネル等の透明なデバイスなどのディスプレイ４の表示面の表示前面に配置される透明体でできた部材で構成すれば良い。ディスプレイ４の表示面の表示前面とは、ディスプレイ４の表示面の、表示を視覚するユーザに対向する面のことである。
【００２８】
また、本実施形態の電子機器１０ａでは、導光板１１の内部に入射した発光部２の光は導光板１１の表示面上から見えることはなく、導光板１１の表示面上ではその下部に配置されているディスプレイ４の表示のみが透過して見えるようになっている。導光板１１の表示面上では発光部２の光は全反射されて出てこないため見えない。導光板１１の端面１ａや、塗装を行った部分からのみ発光が見えるようになり、画面表示に影響を及ぼさない。
【００２９】
図６の（ｄ）は、図６の（ｂ）に示す導光板１１の発光部埋め込み部１ｂの変形例である。図６の（ｂ）に示す断面が円弧形状の凹部を備える発光部埋め込み部１ｂでは、発光部２から出射される光の内、上下方向に近い方向で出射される光の入射角は、導光板１１の上下の側壁１ｃに入射した際に臨界角以下となるため、全反射せず、導光板１１を透過する。従って、発光部２から出射した光の利用率を高めるために図６の（ｄ）に示すように遮光板（遮光部，反射部）７を上部の側壁１ｃ上に設けることで、全反射しない入射角の小さい入射光を外部へ透過するのを防ぐことができる。遮光板７に入射した光は遮光板７の下面で反射し、導光板１１の内部へ進行する。上記のように、導光板１１の表面の一部を遮光板７によって遮光するか、または反射部によって光を反射させることにより、外部への光漏れを軽減することができる。
【００３０】
ここにおいて遮光板７はミラー等の反射板を使用するのが好ましく、その材質としては金属材料が良く、正反射せず反射角が大きくなるような反射特性を有することが好ましい。また、遮光板７は導光板１１の上部の側壁１ｃのみならず、下部の側壁１ｃにも設けてもよい。その場合は導光板１１への入射光が、導光板１１の内部から外部へ漏れる量をさらに低減することができる。また、下部の側壁１ｃ上のみに遮光板７を設けても良い。
【００３１】
〔実施形態２〕
次に、図７の（ａ）に基づき、本発明の実施形態２に係る導光板（外装部品）２１の構造について説明する。図７の（ｂ）は、図６の（ａ）に示す導光板１１の変形例の導光板２１の構造を示す断面図である。
【００３２】
図７の（ａ）に示されるように、本実施形態２では円弧形状の凹部を有する発光部埋め込み部１ｂ、および発光部２のそれぞれが、導光板２１の両側の端面１ａの２箇所に設けられている。すなわち、本実施形態では、円弧形状の凹部が導光板２１の複数個所に形成されている。これにより、導光板２１が発光する範囲を広くすることができる。導光板２１の両側の端面１ａのそれぞれに発光部２を設ける場合に、図面右端の端面１ａから導光板２１内に入射する光と、図面左端の端面１ａから導光板２１内に入射する光の位相が半波長ずれていた場合、光の強度を弱めあうように干渉するため、各端面１ａから導光板２１内に入射する光の位相は同じであることが好ましい。上記光の位相が同じであれば強めあうように干渉し、実施形態１よりも発光強度が高くなる。
【００３３】
図７の（ｂ）は、本実施形態に係る導光板２１を用いた電子機器１０ｂの断面構造を示す断面図である。本実施形態では導光板２１の両端における発光が可能となるため、実施形態１での上述のように片側の端面１ａの発光に加えて、両端面１ａで発光するため、導光板２１の外周部の輝度が全体的に上昇し、結果として上述したイルミネーション効果が向上する。以上により、特有のイルミネーション効果を得つつ、導光板２１の内部に留まる光の成分の量を多くすることができる。
【００３４】
〔実施形態３〕
次に、図８の（ａ）に基づき、本発明の実施形態３に係る導光板（外装部品）１５の構造について説明する。図８の（ａ）に示されるように、本実施形態３では断面が円弧形状の凹部を有する発光部埋め込み部５ｂおよび発光部２が導光板１５の中央下側の内部に設けられている。この形態によれば、発光部埋め込み部５ｂの外縁端に概ね垂直に入射する光も、入射後、導光板１５の内部に向かって屈折し、導光板１５の内部に留まるため、実施形態１および２と比較して、導光板１５から外部に漏れる光を軽減することができる。すなわち、本実施形態の導光板１５の構造によれば、導光板１５の外部への光漏れを軽減し、すべての端面を均一に発光させることができる。
【００３５】
なお、上記凹部（発光部埋め込み部５ｂ）は、導光板１５の最大面積を有する表面における、導光板１５の端面から離れた位置に形成されていれば良く、必ずしも導光板１５の中央部に形成する必要はない。
【００３６】
また、本実施形態では、図８の（ａ）に示されるように導光板１５の中央部に発光部埋め込み部５ｂを設けていることより中央から両端の端面に均等に光が出射するため、全ての端面を均一に光らせることができる。本実施形態３では出光部は導光板１５の左端のみ設けているが、実施形態２と同じように両端に設けてもよい、その場合、右方向へ進行する光が導光板１５の右端面で反射することがないため、右方向に進行した光をそのまま取り出すことができ、より端面を均一に光らせることができる。また、発光部埋め込み部５ｂは導光板１５の中央部に設けずに、中央部から左または右に偏移した箇所に設けてもよい。その場合は、どちらかの端面を特に強く発光させることができる。
【００３７】
図８の（ｂ）は、導光板１５を背面パネルとして用いた電子機器１０ｃの断面の構造を示す断面図である。同図に示すように、電子機器１０ｃは、裏側（下側）から表側（上側）に向けて、導光板１５、基板３、ディスプレイ４、表面パネル１のそれぞれがこの順で層状に配置されている。電子機器１０ｃの左右方向の周囲は、外装（非透明樹脂）６で囲まれている。電子機器１０ｃによれば、導光性を有する導光板１５そのものを導光体として用いて光を導光させる。また、電子機器１０ｃによれば、導光板１５は、発光部２が導光板１５の中央部に設けられているため、全ての端面を均一に発光させることができる。従って、それに応じた特有のイルミネーション効果を得ることができる。以上により、特有のイルミネーション効果を得つつ、導光板１５の内部に留まる光の成分の量を多くすることができる。
【００３８】
次に、図８の（ｃ）に基づき、本発明の実施形態３に係る電子機器１０ｃの変形例の構成について説明する。図８の（ｃ）は、電子機器１０ｃの変形例の構成を示す図である。本変形例の電子機器１０ｃでは、導光板１５の中央付近に凹状の発光部埋め込み部５ｂが形成されており、この発光部埋め込み部５ｂに、２つの発光部（光源）２ａおよび発光部（光源）２ｂを配置している。２つの発光部２ａおよび発光部２ｂの非発光側は、背中合わせとなっている。これにより、導光板１５の端面５ａにおいて発光しない部分を無くすことができる。すなわち、発光部２が端面５ａに無いため、全ての端面５ａを光らせることができる。なお、本実施形態では、発光部埋め込み部５ｂの位置を導光板１５の中央付近としているが、発光部埋め込み部５ｂの位置は、任意である。また、上記複数の発光部はそれぞれ異なる色で発光しても良い。
【００３９】
〔実施形態４〕
図９の（ａ）に基づき、本発明の実施形態４に係る導光板（外装部品）２５の構造について説明する。図９の（ａ）の導光板２５は、図８の（ａ）に示す導光板１５の構成に加えて、導光板２５の発光部埋め込み部５ｂの上部に塗装部５ｃを形成している点で、上述した形態と異なっている。図９の（ｂ）に示すように、塗装部５ｃでは、「ＡＢＣ１２３」の文字列で塗装を行っている。なお、塗装部５ｃは、印刷塗装、蛍光体塗布、粗面加工などを施すことにより構成される。なお、本実施形態では、導光板２５の一部を塗装する構成について説明したが、このような形態に限定されず、導光板２５の一部を表面加工する構成を採用することもできる。
【００４０】
発光部２から導光板２５の上面に向けて出射した光は発光部埋め込み部５ｂの境界面で屈折し、出射時に垂直に近い角度で出射した光の多くは導光板２５の上面に向かう。また、予め塗装部５ｃは塗装が行われることで全反射の条件が成立しなくなり、発光部２から出射した光は、塗装部５ｃに到達し、発光する。結果として塗装が行われた塗装部５ｃのみ発光するため、例えば文字のパターンで塗装を行うことで、文字部分を発光させることが可能となる。
【００４１】
次に、図９の（ｂ）に基づき、変形例の電子機器１０ｄの構成について説明する。図９の（ｂ）は、電子機器１０ｄの構造を示す図である。電子機器１０ｄでは、導光板２５の中央付近に発光部埋め込み部５ｂが形成されており、この発光部埋め込み部５ｂに、１つの発光部２を配置している。上述のように表面には「ＡＢＣ１２３」と塗装された文字列のみ発光され、導光板２５の表面の文字列以外の面は、全反射し、発光しない。また本実施形態では文字列が発光部２の直上にあるため、発光部２からの光を最大限に利用でき、文字列を従来よりも格段に明るく発光させることが可能となる。
【００４２】
また、端面５ａにおいても端面発光するのは他の実施形態と同様である。なお、本実施形態では、発光部埋め込み部５ｂの位置を導光板２５の中央付近としているが、発光部埋め込み部５ｂの位置は、任意である。
【００４３】
〔まとめ〕
本発明の態様１に係るイルミネーション構造は、電子機器の外装の一部品であり導光性を有する材料で構成された外装部品（導光板１１）と、光を発する光源（発光部２）と、を備えたイルミネーション構造であって、上記光源から上記外装部品の内部に入射した光により上記外装部品の少なくとも一部が発光するように構成されており、上記外装部品に凹部が形成されており、上記凹部の内部に、上記光源が配置されており、上記凹部の断面における光の入射点（Ａ）を通る法線と、上記光源の光の出射方向との為す角（θ）が９０°未満である構成である。
【００４４】
上記構成によれば、外装部品の少なくとも一部が発光し、外装部品の最大面積を有する面で、外装部品の内部に入射した光が全反射するので、それに応じた特有のイルミネーション効果を得ることができる。また、上記構成によれば、外装部品に凹部が形成されており、上記凹部の内部に、光源が配置されており、上記凹部の断面における光の入射点を通る法線と、上記光源の光の出射方向との為す角が９０°未満である。このため、光源から出射し、上記入射点を通る光は、すべて外装部品の最大面積を有する面で全反射するので、外装部品の内部に留まる光の成分の量を多くすることができる。以上により、特有のイルミネーション効果を得つつ、外装部品の内部に留まる光の成分の量を多くすることができる。
【００４５】
本発明の態様２に係るイルミネーション構造は、上記態様１において、上記凹部が、上記外装部品の一方の端面に形成されていても良い。上記構成によれば、凹部が形成された一方の端面に対向する端面を発光させることができる。
【００４６】
本発明の態様３に係るイルミネーション構造は、上記態様１において、上記凹部が、上記外装部品の複数個所に形成されていても良い。上記構成によれば、外装部品が発光する範囲を広くすることができる。
【００４７】
本発明の態様４に係るイルミネーション構造は、上記態様１において、上記凹部が、上記外装部品の最大面積を有する表面における、上記外装部品の端面から離れた位置に形成されていても良い。上記構成によれば、外部への光漏れを軽減し、すべての端面を均一に発光させることができる。
【００４８】
本発明の態様５に係るイルミネーション構造は、上記態様１〜４の何れかにおいて、上記外装部品の表面の一部に遮光部または反射部（遮光板７）が設けられていても良い。上記構成によれば、外装部品の表面の一部を遮光部によって遮光するか、または反射部によって光を反射させることにより、外部への光漏れを軽減することができる。
【００４９】
本発明の態様６に係るイルミネーション構造は、上記態様１〜４の何れかにおいて、上記外装部品の表面の一部が塗装または表面加工（塗装部５ｃ）されていても良い。上記構成によれば、外装部品の表面の一部の塗装または表面加工された部分を発光させることができる。
【００５０】
本発明の態様７に係る電子機器は、上記態様１〜５の何れか１項に記載のイルミネーション構造を有していることが好ましい。上記構成によれば、特有のイルミネーション効果を得つつ、外装部品の内部に留まる光の成分の量を多くすることができる電子機器を実現できる。
【００５１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５２】
１    表面パネル（外装部品）
１１    導光板（外装部品）
１５    導光板（外装部品）
２１    導光板（外装部品）
１ａ  端面
１ｃ  側壁
２    発光部（光源）
２ａ  発光部（光源）
２ｂ  発光部（光源）
５ａ  端面
５    背面パネル（外装部品）
５ｃ  塗装部
６    外装（非透明樹脂）
７    遮光板（遮光部，反射部）
１０    電子機器
１０ａ〜１０ｄ  電子機器
【図１】
2018081283.tif 000003
【図２】
2018081283.tif 000004
【図３】
2018081283.tif 000005
【図４】
2018081283.tif 000006
【図５】
2018081283.tif 000007
【図６】
2018081283.tif 000008
【図７】
2018081283.tif 000009
【図８】
2018081283.tif 000010
【図９】
2018081283.tif 000011